(57)【要約】【課題】作用角度狭小化リモコン装置の提供。【解決手段】一種の作用角度狭小化光信号式リモコン装置、主に少なくとも一つの光信号発射器および導光素子を光信号発射器に隣接して設け、光信号の拡散角度を狭める。リモコン装置はさらに調節手段を設け、導光素子の移動または光信号発射器を新たに選択して、リモコン装置をより広角と狭角の範囲に作用する。本発明の実施例は狭角制御するための方向標示レーザー標示を含まれている。【選択図】図１
2007295387.tif 000002
【特許請求の範囲】
【請求項１】
光信号を発射できる少なくとも一つの光信号発射器と、
該光信号発射器に隣接して設置され、位置を変更可能であり、該光信号の発散角度を集中及び縮小させるのに用いられる導光素子と、
を具えたことを特徴とする、作用角度狭小化リモコン装置。
【請求項２】
請求項１記載の作用角度狭小化リモコン装置において、該導光素子を選択により変動させてリモコン装置を少なくとも一つの広角範囲および狭角範囲で作用させるための調節手段を更に具えたことを特徴とする、作用角度の狭小化が可能なリモコン装置。
【請求項３】
請求１記載の作用角度狭小化リモコン装置において、広角機能を有する第１光信号発射器、および少なくとも一つの第２光信号発射器を該導光素子と組み合わせて、電気スイッチにより、該第一発射器または第二光信号発射器のいずれかを選択し、リモコン装置を広角範囲および狭角範囲で作用させることを特徴とする、作用角度狭小化リモコン装置。
【請求項４】
請求項１記載の作用角度狭小化リモコン装置において、該導光素子は適切な長さを有する中空筒形状部材であることを特徴とする、作用角度狭小化リモコン装置。
【請求項５】
請求項４記載の作用角度狭小化リモコン装置において、該導光素子の筒形状部材は該光信号発射器に接近する端の寸法を他端の寸法より小さく設けることを特徴とする、作用角度狭小化リモコン装置。
【請求項６】
請求項４記載の作用角度狭小化リモコン装置において、該導光素子筒形状部材は、少なくとも一つの狭小化区間および消失区間を入光側と出光側の間に介入させ、該狭小化区間に狭小化した導光断面を設け、これに対して、該消失区間に拡大した導光断面を設けることを特徴とする、作用角度狭小化リモコン装置。
【請求項７】
請求項４記載の作用角度狭小化リモコン装置において、該導光素子筒形状部材の内壁は滑らか加工が施されていることを特徴とする、作用角度狭小化リモコン装置。
【請求項８】
請求項１記載の作用角度狭小化リモコン装置において、該導光素子は導光柱体であることを特徴とする、作用角度狭小化リモコン装置。
【請求項９】
請求項８記載の作用角度狭小化リモコン装置において、該導光柱体は該光信号発射器に接近する端の寸法を他端の寸法より小さく設けることを特徴とする、作用角度狭小化リモコン装置。
【請求項１０】
請求項８記載の作用角度狭小化リモコン装置において、該導光柱体の内壁は滑らか加工が施されていることを特徴とする、作用角度狭小化リモコン装置。
【請求項１１】
請求項８記載の作用角度狭小化リモコン装置において、該導光柱体の該光信号発射器から離れる端を、やや突出面に設けることを特徴とする、作用角度狭小化リモコン装置。
【請求項１２】
請求項２記載の作用角度狭小化リモコン装置において、該導光素子を筒状に設け、該導光素子は該光信号発射器の光軸とほぼ吻合し、該光軸方向において移動し、該広角範囲および狭角範囲を調節することを特徴とする、作用角度狭小化リモコン装置。
【請求項１３】
請求項１２記載の作用角度狭小化リモコン装置において、
該導光素子に作用し、該狭角位置に移動させる予力素子と、
該導光素子が利用者により、広角位置に押された後に該導光素子を締結し、利用者の操作により該導光素子を解放して該狭角位置に移動させる締結具を具えたことを特徴とする、作用角度狭小化リモコン装置。
【請求項１４】
請求項２記載の作用角度狭小化リモコン装置において、該導光素子は該光信号発射器の光軸方向の前方または該光信号発射器から離れた位置を選択し、狭角と広角作用範囲を調節できることを特徴とする、作用角度狭小化リモコン装置。
【請求項１５】
請求項１４記載の作用角度狭小化リモコン装置において、該導光素子は該狭角と広角作用範囲の間を回転移動できることを特徴とする、作用角度狭小化リモコン装置。
【請求項１６】
請求項１５記載の作用角度狭小化リモコン装置において、該導光素子は該狭角位置に回転移動したとき、該光信号発射器の前方位置に至り、該広角位置に回転したときは該リモコン装置の外部ケースに寄って収納されることを特徴とする、作用角度狭小化リモコン装置。
【請求項１７】
請求項１５記載の作用角度狭小化リモコン装置において、
該導光素子に作用し、該狭角位置に移動させる予力素子と、
該導光素子が利用者により、広角位置に押された後に該導光素子を締結し、利用者の操作により該導光素子を解放して該狭角位置に移動させる締結具を具えたことを特徴とする、作用角度狭小化リモコン装置。
【請求項１８】
請求項１記載の作用角度狭小化リモコン装置において、
該導光素子に平行に設置したレーザー発射器と、
該光信号発射器が狭角の光信号を出射する前に、該レーザー発射器にレーザー光標示を制御対象物に出射させる、制御手段を設けたことを特徴とする、作用角度狭小化リモコン装置。
【請求項１９】
請求項１８記載の作用角度狭小化リモコン装置において、該制御手段は、二段式操作の操作キーを具え、第１段の軽い押圧で該レーザー発射器を発光させ、続いて第１段より強い第２段の押圧により、該光信号発射器を発光させることを特徴とする、作用角度狭小化リモコン装置。
【請求項２０】
請求項１８記載の作用角度狭小化リモコン装置において、該制御手段は、狭角と広角選択機構を駆動するスイッチを包含し、レーザー発射器は広角に操作されたとき、レーザー光を出射しないことを特徴とする、作用角度狭小化リモコン装置。
【発明の詳細な説明】
【技術分野】
【０００１】
本発明は一種の作用角度狭小化リモコン装置に係り、特に一種の光信号式リモコン装置の作用角度調節装置に関わるものである。
【背景技術】
【０００２】
本発明は作用角度狭小化リモコン装置、特に一種の光信号式（赤外線など）リモコン装置に光信号の作用角度調節機能に関わるものである。
【０００３】
一般のリモコン装置の仕組みは、特定コードの光信号または無線周波を受信端に発射し、受信端にて解読した後、しかるべき操作を行う、というものである。一方、赤外線リモコン装置は赤外線発射器で光信号を提供するものであり、経済的でよく使われている方式である。赤外線発射器は、主に赤外線発光ダイオード( ｉｎｆｒａｒｅｄ  ＬＥＤ) を使用する。その視角( ｖｉｅｗ  ａｎｇｌｅ) は１５度から８０度の範囲で、設計するとき必要に応じて適切な形を選べる。しかし、より狭小角度または一つのリモコン装置に広角と狭角を同時に必要とするとき、公知技術のリモコン装置または赤外線発射器の設計では対応できない。その典型的な例として、同じ性質を有するシリーズ装置（複数のブラインド）を同じ場所に取り付けた場合、リモコン装置一つで複数のブラインドを簡単に制御できる。ただし、一つのブラインドのみを単独に制御することは困難である。これを実現する方法の一つは、コード対応方式をそれぞれ変更する。すなわち、リモコン装置に個別の装置に対応した選択設定を行い、リモコン装置と個々の装置のコード、解読セクションをあらかじめに区分しておく、しかし、この方法は、リモコン装置と各装置間の構造、設定ならびに操作を複数化させ、不便を生じる。
【０００４】
これに対して、赤外線リモコン装置を個別の装置の単独制御に使用するには、光信号の作用角度を狭小化する方法がある。理想的には、利用者はリモコン装置を特定の装置に差し向けることで、作動させることが可能で、隣り合った同じシリーズの装置に影響しない。しかし、さらに簡単便利に、広角と狭角調節を一つのリモコン装置で達成させる切り換え方法があれば、利用者は一回の操作で単独またはシリーズ装置を簡単に操作できる。狭角操作のときに、レーザーなどの標示を設ければ、利用者が制御目標を選定するのに便利であるが、これまでそのような装置はない。
【発明の開示】
【発明が解決しようとする課題】
【０００５】
前記の問題を鑑み、光信号式リモコン装置を少なくとも広角と狭角範囲にそれぞれ対応させることにより、広角範囲において、複数の受信装置を作動できるようにするほか、狭角範囲において、一つの装置を単独に制御できるようにした、作用角度狭小化調節機能を備えた光信号式リモコン装置の提供を、本発明の主な目的とする。導光素子を移動式とし、広角、狭角使用と収納に便利する。さらに、本発明の光信号式リモコン装置にレーザー標示機能を設けて、方向指示を提供する。
【０００６】
前記の目的を達成するため、本発明は一種の作用角度狭小化光信号式リモコン装置を提供し、それによると、少なくとも一つの光信号発射器および導光素子を光信号発射器に隣接して設け、光信号の拡散角度を狭める。
【０００７】
本発明のリモコン装置はさらに、調節手段を設けて、該導光素子を選択し移動することにより、リモコン装置を広角範囲と狭角範囲に作用するものとする。
【０００８】
本発明のリモコン装置における主要な技術手段によると、導光素子を光信号発射器の光軸前方に近づけるか、または該光信号発射器の光軸場所を離すことにより、狭角と広角の作用範囲を調節できるようにする。そのうち、ある実施例において、該導光素子はほぼ筒状に設けて、該導光素子と該光信号発射器の光軸はほぼ吻合させ、該光軸方向に相対移動するものとし、広角と狭角の作用範囲を調節する。別の実施例では、該導光素子を該狭角と広角範囲の位置で回転移動させる。該導光素子は該狭角位置に回転したとき、該光信号発射器の前方に至り、該広角位置に回転したとき、該リモコン装置の外部ケースに寄せて収納できるものとする。
【０００９】
操作の便利を配慮するため、本発明は該導光素子に作用する予力部材を設けて、該予力部材により該導光素子を狭角位置に回転または移動させる。更に締結具を設け、該締結具は利用者が該導光素子を広角位置に移動させたとき、締結し、また、利用者の操作により、該導光素子を開放し、該狭角位置に回転または移動させる。
【００１０】
本発明のリモコン装置もう一つの実施例は、広角機能の第１光信号発射器、および第２光信号発射器に一つの導光素子を設けて、電気スイッチの選択により、該第１と第２光信号発射器のいずれかを選択し、広角と狭角範囲を実現する。
【００１１】
さらに、本発明の実施例ではレーザー標示を導光素子に平行して設ける。該レーザー標示は、狭角状態において、利用者によるリモコン装置の第１段の軽い押圧により、発光してリモコン制御の目的物を標示する。利用者によるリモコン装置の第２段の押圧により、、光信号発射器は導光素子に沿って、狭角作用の光信号を発射する。
【００１２】
本発明において、該導光素子には適切な長さの中空筒状部材を使用する。該光信号発射器に接近する側の寸法は他端の寸法より小さく設け、筒状部材の内壁は滑らかに加工する。また、最適な狭角作用を図るため、導光素子の中空筒形状部材に適切な階段形状を設ける。
【００１３】
このほか、該導光素子は導光柱体であっても良い。該光信号発射器に接近する側の寸法は他端の寸法より小さく設け、該導光柱体の外壁は滑らかに加工する。該導光柱体は該光信号発射器を離れる端の表面は、やや突出して設ける。
【００１４】
本発明の特徴は、一つのリモコン装置でもって、同一場所に設ける同じシリーズの装置を同時制御でき、そのいずれの装置を単独に制御し作動することができる。
【課題を解決するための手段】
【００１５】
請求項１の発明は、光信号を発射できる少なくとも一つの光信号発射器と、
該光信号発射器に隣接して設置され、位置を変更可能であり、該光信号の発散角度を集中及び縮小させるのに用いられる導光素子と、
を具えたことを特徴とする、作用角度狭小化リモコン装置としている。
請求項２の発明は、請求項１記載の作用角度狭小化リモコン装置において、該導光素子を選択により変動させてリモコン装置を少なくとも一つの広角範囲および狭角範囲で作用させるための調節手段を更に具えたことを特徴とする、作用角度の狭小化が可能なリモコン装置としている。
請求項３の発明は、請求１記載の作用角度狭小化リモコン装置において、広角機能を有する第１光信号発射器、および少なくとも一つの第２光信号発射器を該導光素子と組み合わせて、電気スイッチにより、該第一発射器または第二光信号発射器のいずれかを選択し、リモコン装置を広角範囲および狭角範囲で作用させることを特徴とする、作用角度狭小化リモコン装置としている。
請求項４の発明は、請求項１記載の作用角度狭小化リモコン装置において、該導光素子は適切な長さを有する中空筒形状部材であることを特徴とする、作用角度狭小化リモコン装置としている。
請求項５の発明は、請求項４記載の作用角度狭小化リモコン装置において、該導光素子の筒形状部材は該光信号発射器に接近する端の寸法を他端の寸法より小さく設けることを特徴とする、作用角度狭小化リモコン装置としている。
請求項６の発明は、請求項４記載の作用角度狭小化リモコン装置において、該導光素子筒形状部材は、少なくとも一つの狭小化区間および消失区間を入光側と出光側の間に介入させ、該狭小化区間に狭小化した導光断面を設け、これに対して、該消失区間に拡大した導光断面を設けることを特徴とする、作用角度狭小化リモコン装置としている。
請求項７の発明は、請求項４記載の作用角度狭小化リモコン装置において、該導光素子筒形状部材の内壁は滑らか加工が施されていることを特徴とする、作用角度狭小化リモコン装置としている。
請求項８の発明は、請求項１記載の作用角度狭小化リモコン装置において、該導光素子は導光柱体であることを特徴とする、作用角度狭小化リモコン装置としている。
請求項９の発明は、請求項８記載の作用角度狭小化リモコン装置において、該導光柱体は該光信号発射器に接近する端の寸法を他端の寸法より小さく設けることを特徴とする、作用角度狭小化リモコン装置としている。
請求項１０の発明は、請求項８記載の作用角度狭小化リモコン装置において、該導光柱体の内壁は滑らか加工が施されていることを特徴とする、作用角度狭小化リモコン装置としている。
請求項１１の発明は、請求項８記載の作用角度狭小化リモコン装置において、該導光柱体の該光信号発射器から離れる端を、やや突出面に設けることを特徴とする、作用角度狭小化リモコン装置としている。
請求項１２の発明は、請求項２記載の作用角度狭小化リモコン装置において、該導光素子を筒状に設け、該導光素子は該光信号発射器の光軸とほぼ吻合し、該光軸方向において移動し、該広角範囲および狭角範囲を調節することを特徴とする、作用角度狭小化リモコン装置としている。
請求項１３の発明は、請求項１２記載の作用角度狭小化リモコン装置において、
該導光素子に作用し、該狭角位置に移動させる予力素子と、
該導光素子が利用者により、広角位置に押された後に該導光素子を締結し、利用者の操作により該導光素子を解放して該狭角位置に移動させる締結具を具えたことを特徴とする、作用角度狭小化リモコン装置としている。
請求項１４の発明は、請求項２記載の作用角度狭小化リモコン装置において、該導光素子は該光信号発射器の光軸方向の前方または該光信号発射器から離れた位置を選択し、狭角と広角作用範囲を調節できることを特徴とする、作用角度狭小化リモコン装置としている。
請求項１５の発明は、請求項１４記載の作用角度狭小化リモコン装置において、該導光素子は該狭角と広角作用範囲の間を回転移動できることを特徴とする、作用角度狭小化リモコン装置としている。
請求項１６の発明は、請求項１５記載の作用角度狭小化リモコン装置において、該導光素子は該狭角位置に回転移動したとき、該光信号発射器の前方位置に至り、該広角位置に回転したときは該リモコン装置の外部ケースに寄って収納されることを特徴とする、作用角度狭小化リモコン装置としている。
請求項１７の発明は、請求項１５記載の作用角度狭小化リモコン装置において、
該導光素子に作用し、該狭角位置に移動させる予力素子と、
該導光素子が利用者により、広角位置に押された後に該導光素子を締結し、利用者の操作により該導光素子を解放して該狭角位置に移動させる締結具を具えたことを特徴とする、作用角度狭小化リモコン装置としている。
請求項１８の発明は、請求項１記載の作用角度狭小化リモコン装置において、
該導光素子に平行に設置したレーザー発射器と、
該光信号発射器が狭角の光信号を出射する前に、該レーザー発射器にレーザー光標示を制御対象物に出射させる、制御手段を設けたことを特徴とする、作用角度狭小化リモコン装置としている。
請求項１９の発明は、請求項１８記載の作用角度狭小化リモコン装置において、該制御手段は、二段式操作の操作キーを具え、第１段の軽い押圧で該レーザー発射器を発光させ、続いて第１段より強い第２段の押圧により、該光信号発射器を発光させることを特徴とする、作用角度狭小化リモコン装置としている。
請求項２０の発明は、請求項１８記載の作用角度狭小化リモコン装置において、該制御手段は、狭角と広角選択機構を駆動するスイッチを包含し、レーザー発射器は広角に操作されたとき、レーザー光を出射しないことを特徴とする、作用角度狭小化リモコン装置としている。
【発明の効果】
【００１６】
本発明は作用角度狭小化リモコン装置を提供し、本発明の特徴は、一つのリモコン装置でもって、同一場所に設ける同じシリーズの装置を同時制御でき、そのいずれの装置を単独に制御し作動することができることにある。
【発明を実施するための最良の形態】
【００１７】
図１と図２に示すものは、本発明の作用角度狭小化リモコン装置の実施例一における狭角と広角( および保管) 状態の外観図である。該リモコン装置１に、導光素子１３を回転軸１４により、本体に設けて、回転可能とする。導光素子１３に導光経路１３０が設けられ、図１において、導光素子１３が本体より繰り出されたとき、利用者がいずれかの操作キー１６を押すと、対応する光信号（図示していない）は導光経路１３０に沿って狭角に出射する。図２において、導光素子１３が本体側の収容部１５に繰り戻されたとき、利用者がいずれかの操作キー１６を押すと、対応する光信号（図示していない）が開口部１７より広角に出射する。
【００１８】
図３は前記の狭角と広角調節構造の正視図である。導光素子１３は回転軸１４の正方向、逆方向に１８０度回転することにより、本体側の収容部１５より繰り出すことと繰り戻すことができる。図４に示すとおり、導光素子１３が本体側の収容部１５に繰り戻された後、本体内部の光信号発射器５は操作キー１６が押されると、開口部１７より元の広角ｗにて、光信号を出射する。図５に示すとおり、導光素子１３が本体側の収容部１５外側に繰り出されたとき、導光素子１３の一端は本体内部の光信号発射器５光軸の前方に至り、操作キー１６が押されると、細長い導光経路１３０より、元は広角ｗで出射した光信号を狭め狭角ｎで出射する。導光素子１３の構造は後に説明する。
【００１９】
前記図式における狭角と広角調節は、利用者が回すかまたは図６に示す自動弾き機構(図１に示すＦ部位) によって実現できる。この機構は主に一つの回転軸１４を導光素子１３の備えた穴３１の一端に挿入し、予力部材１９で下から支持する。予力部材１９はねじりバネ部材を用いる。その上下端に設けた横直区間１９１, １９２をそれぞれ回転軸１４の下部の図示していないフォーク１２２と本体の下蓋１２に備える凹み穴１２１内部のフォーク１２２に嵌め込む。導光素子１３に設けた孔１３１の内壁に二つの突起部１３２を設け、回転軸１４の外周部に設けた二つの摺動溝１４３内部に滑り込ませる。前記の回転軸１４、導光素子１３、予力部材１９を結合し、本体の上蓋１１と下蓋１２との間に挟んでおき、図面に示されていないねじなどの結合部材で組み合わせる。回転軸１４の円柱１４１に二つの平面１４２を設け、上蓋内部孔１１０の周りに設けた同じ形状の凹み口（図示していない）に噛み合わせる。これにより、回転軸１４上段の円柱１４１を孔１１０外部に露出させる。利用者が回転軸１４を下方に押して、ねじりバネすなわち、予力部材１９の支持力に抵抗して、摺動溝１４３を突起部１３２から下部へ移動させ、二つの平面１４２を上蓋１１凹み口との係合より開放すると、予力部材１９はバネを回し回転軸１４を駆動して、導光素子１３を一体に動作させて、繰り出し位置に回し、二つの平面１４２を１８０度回転させた後、上蓋１１内部の凹み口に噛み合わせて締結する。導光素子１３を戻すとき、利用者は再び回転軸１４を下方に押して締結状態を解除し、導光素子１３を回して、本体の収容部１５に収納した後、回転軸１４を上に弾いて締結する。
【００２０】
図７から図９に示すものは、本発明の作用角度狭小化リモコン装置実施例２の正面構造と作用概略図である。図７に示すとおり、導光素子１３は回転軸１４により、正方向、逆方向に９０度回転することにより、本体の収容部１５より繰り出すことおよび繰り戻すことができる。図８に示すとおり、導光素子１３を本体の収容部１５に繰り戻した後、本体内部の信号発射器５は操作キ―１６が押し下げられると、開口部１７より元の広角ｗにて、光信号を出射する。図９に示すとおり、導光素子１３が本体の収容部１５より繰り出されたとき、導光素子１３の一端は本体内部に隣接する光信号発射器５の光軸の前に至り、操作キー１６が押し下げられられたとき、導光素子１３は元の広角ｗで出射する光信号を狭めて、狭角ｎの光信号を出射する。回転軸１４の内部構造は、図６に示す方式に組合せて、導光素子１３の自動弾き出し操作に備える。
【００２１】
図１０から図１１に示すものは、本発明の作用角度狭小化リモコン装置実施例３の正面断面視と作用概略図である。図１０に示すとおり、導光素子１３は本体の案内孔１８に伸縮可能のように設ける。本体内部に設けるプリント基１６１上に欠け目と延伸部１６２を設けて、導光素子１３を接触しないままに挿入する。導光素子１３内面に備えるフランジ１３４は圧縮バネ１３５によって支持し、外側に移動する予力を提供する。締結具６は圧縮バネ６５の移動力量により、導光素子１３は利用者によって、本体内部に押さえ込まれた後に、肩部１３３をもって、導光素子１３と噛み合う。光信号発射器５を延伸部１６２の頂点に設け、図１０に示すとおり、導光素子１３を本体に収納した後、光信号発射器５は導光素子１３外部に残され、操作キー１６が押し下げられたとき、元来の広角ｗに沿って、光信号を出射する。図１１に示すとおり、導光素子１３は利用者が締結具６の締結を解除することにより、圧縮バネ１３５の力量でもって本体より伸出し、内側のフランジ１３４が案内孔１８下部に係止される。このとき、光信号発射器５は導光素子１３の内側に固定される。操作キー１６が押し下げられたとき、導光素子１３により、元の広角ｗで出射された光信号を狭めて案内し、狭角ｎの光信号を出射する。
【００２２】
図１２から図１３に示すものは、本発明の作用角度狭小化リモコン装置実施例４の局所正面断面視と作用概略図である。図１２に示すとおり、本発明のリモコン装置は、第１光信号発射器５１を本体内部の開口部付近場所に設け、第２光信号発射器５２は導光素子１３の内側１３７に設ける。導光素子１３は本体内部に固定し、その外部１３８は本体の一開口部に設ける。電気選択スイッチ５６は操作キー１６よりトリガする電気信号Ｓを第１光信号発射器５１の回路Ｐ１に連結するよう選択すると、第１光信号発射器５１より広角ｗで出射する。図１３に示すとおり、選択スイッチ５６により、リモコン駆動信号Ｓを第２光信号発射器５２の回路Ｐ２に連結するよう選択すると、第２光信号発射器５２は導光素子１３より狭角ｎ出射する。
【００２３】
本発明のリモコン装置を狭角に出射するとき、利用者に制御目標を正しく狙う操作のため、さらに、一種のリモコンによる目標標示機構を提供する。本発明はさらに、レーザー標示装置を設け、狭角の光信号を出射する前に、利用者がレーザー光により、目標を標示し目標を事前選定する。以下にて、前記の実施例１、実施例２および実施例４にレーザー標示装置を付加する実施例を以下のとおり説明する。
【００２４】
図１４、１５に示すものは、本発明実施例５にレーザー標示装置を付加した局所断面視および作用概略図である。実施例１の導光素子１３および光信号発射器５のほか、連動スイッ８を導光素子１３付近の適切場所に設け、導光素子１３が保存されたとき、図１４に示すとおり、閉路にする。これに対して、導光素子１３は回転軸１４によって、繰り出したとき、図１５の電気接続状態にする。レーザー発射器( レーザーダイオードなど) ９と該連動スイッチ８を電気接続しておく、操作キー１６が押し下げられたとき、レーザー光Ｌを出射し、狙う目標に照準し、利用者の位置照準に便利とする。その後、設定時間（１秒間）を経過した後、光信号発射器５は導光素子１３を介して、狭角ｎ光信号を出射し、該目標の遠隔制御を行なう。
【００２５】
図１６に示すものは、本発明実施例６にレーザー標示装置を付加した局所断面視および作用概略図である。実施例３の伸縮式導光素子１３および光信号発射器５を使用するほか、連動スイッチＳに移動片８１を導光素子１３を伸出後の内側のフランジ１３４に設け、導光素子１３を保管するとき、該フランジ１３４の分離により、固定接点８２と回路切断状態を呈するようにする。一方、導光素子１３の伸出時、該フランジ１３４の押出しを受けて、図６に示す固定接点８２と導通状態に変わる。レーザー発射器（レーザーダイオードなど）９を該連動スイッチ８１、固定接点８２およびもう一つのスイッチ８６と電気接続しておく、操作キー１６が初めて押し下げられた（軽く押す、このとき、操作キーの接点はまだ導通していない）とき、レーザー光Ｌを目的物に向けて出射し、利用者の目標照準に備える。その後操作キー１６がさらに押し下げられると、光信号発射器５は導光素子１３を介して、狭角ｎ光信号を出射して、目標の遠隔制御を行なう。このスイッチ８６は操作キー１６が設けられたキー支持面１６０の下に設けたスイッチであり、すなわち、導光素子１３が繰り出された状態において、いずれかの操作キー１６が軽く押されると、スイッチ８６が先に導通し、レーザー発射器９が光信号を出射し、利用者の目標調節に便利さを提供する。導光素子１３を収納した後は、該連動スイッチ８１、固定接点８２は、レーザー発射器９との電気接続を断ち切って、作用を無効にする。
【００２６】
図１７に示すものは、本発明実施例７にレーザー標示装置を付加した局所断面視および作用概略図である。実施例４の固定導光素子１３、二つの光信号発射器５１, ５２および選択スイッチ５６を設けるほか、該選択スイッチ５６がさらに状態スイッチ５６１の動作に連動する。リモコン装置が狭角作用状態とされるとき、レーザー発射器（レーザーダイオードなど）９は該状態スイッチ５６１およびもう一つのスイッチ８６と電気接続され、操作キー１６が初めて押し下げられると（軽く押す、このとき、操作キーの接点はまだ導通していない）、目的物に向けてレーザー光Ｌを出射し、利用者の目標照準に備える。その後操作キー１６がさらに押し下げられると、光信号発射器５は導光素子１３を介して、狭角ｎ光信号を出射して、目標の遠隔制御を行なう。このスイッチ８６は操作キー１６があるキー支持面１６０の下に設けられたスイッチであり、すなわち、リモコン装置の狭角作用状態において、いずれかの操作キー１６が軽く押されると、スイッチ８６が先に導通し、レーザー発射器９より光信号を出射し、利用者の目標調節に便利を提供する。導光素子１３を収納した後、該連動スイッチ５６１は、レーザー発射器９との電気接続を断ち切って、光出射作用を無効にする。
【００２７】
図１８と図１９に示すとおり、本発明において、該導光素子１３の断面は光信号発射器５の中空筒状部材よりやや大きく設け、図１８に示すように、直径が寸法ｄの直筒状丸管に設けることができる。もちろん、四角またはその他の断面形状に設けても良い。図１９に示す錐状管材の光信号発射器５に隣接する内側１３７の寸法ｄ１はもう一つの外側１３８の寸法ｄ２より小さく設け、かつ、管状部材の内壁を滑らかに加工することにより、光信号発射器５より出射する広角な光信号は管内で繰り出し反射される過程で、光軸Ａの夾角が次第に縮小され、平らとなりまっすぐに出射する。狭角作用を増強するため、導光素子１３を長くするか、または出射角度がより小さい光信号発射器５を使用しても良い。
【００２８】
このほか、図２０から２２に示すとおり、本発明において、該導光素子１３の断面を信号発射器５の細長い導光柱体よりやや大きく設けることもできる。図２０に示されるように、直径が寸法ｄの円柱形状のアクリル、またはその他透明状の導光部材、正方形またはその他の断面形状に設けても良い。図２１に示すように、錐状円柱の光信号発射器５に隣接する内側１３７の寸法ｄ１はもう一つの外側１３８の寸法ｄ２より小さく設け、かつ、管状部材の内壁を滑らかに加工することにより、光信号発射器５より出射する広角な光信号は管内に繰り出し反射する過程で、光軸Ａの夾角が次第に縮小され、平らになりまっすぐに出射する。狭角作用を増強するため、導光素子１３を長くするか、または出射角度がより小さい光信号発射器５を使用しても良い。さらに、図２２に示すとおり、該導光柱体の光信号発射器５外側１３８の表面をやや突出するよう設けることにより、もともと傾斜状に出射する光信号が導光柱より出射するとき、屈折作用により、光軸ａ方向に沿って平行して出射するようにできる。
【００２９】
図２３に示すものは、本発明において、導管式導光素子のさらに一つ実施例における断面および端部概略図である。該階段式導光素子２０は階段式の中空管状構造に設け、入光側２０１を設けて光信号発射器５を収容するものとする。狭小空間２０２に漸次縮小する断面を設け、通過する光線の角度をせばめる。拡散空間２０３に拡大する断面を設けることにより、この区域に進入する大きい角度の光線をこの内部にて自己反射し消失させる。さらに、出光端２０４に漸次狭めた断面を設け、特に図示されるように細長状の隙間を形成し、光を細長形状に出射させる。一例として、左右に狭角を設け、上下に広角を設けて、遠隔制御操作に便利する。  図２４は本実施例の構造概略図である。階段式導光素子２０は上・下に二つの部材２０ａ、２０ｂを複数の固定棒２０８、孔２０９を接ぎあわせて構成し、内部に入光側２０１、狭小空間２０２、消失空間２０３および出光側２０４などの部品空間を形成する。
【図面の簡単な説明】
【００３０】
【図１】本発明の実施例１の狭小化作用状態の外観概略図である。
【図２】本発明の実施例１の広角または保管状態の外観概略図である。
【図３】本発明の実施例１の狭角と広角調節構造の正視図である。
【図４】本発明の実施例１の広角作用位置の正視図である。
【図５】本発明の実施例１の狭角の作用位置の正視図である。
【図６】本発明の実施例１の調節手段( 図１のＦ部位) の局所部品構成図である。
【図７】本発明の実施例２の狭角と広角調節構造の正視図である。
【図８】本発明の実施例２の広角作用位置の正視図である。
【図９】本発明の実施例２の狭角作用位置の正視図である。
【図１０】本発明の実施例３の広角作用位置の正視図である。
【図１１】本発明の実施例３の狭角作用位置の正視図である。
【図１２】本発明の実施例４の広角作用位置の正視図である。
【図１３】本発明の実施例４の狭角作用位置の正視図である。
【図１４】本発明の実施例５のレーザー標示を備えるときの局所構造断面図である。
【図１５】本発明の実施例５のレーザー標示と狭角の作用概略図である。
【図１６】本発明の実施例６のレーザー標示と狭角の作用概略図である。
【図１７】本発明の実施例７のレーザー標示と狭角の作用概略図である。
【図１８】本発明の導管式導光素子の作用概略図である。
【図１９】本発明の導管式導光素子に寸法変更の作用概略図である。
【図２０】本発明の導管柱体導光素子の作用概略図である。
【図２１】本発明の導管式導光柱体に寸法変更の作用概略図である。
【図２２】本発明の導管柱体導光素子一端のやや突出面の作用概略図である。
【図２３】本発明の導管式導光素子もう一つの実施例における断面と端部概略図である。
【図２４】図２３の実施例における構造概略図である。
【符号の説明】
【００３１】
１  リモコン装置
１１  上蓋
１２  下蓋
１２１  凹み穴
１２２  フォーク
１１０  孔
１３  導光素子
１３０  導光経路
１３１  孔
１３２  突起部
１３３  肩部
１３４  フランジ
１３５  圧縮バネ
１３７  内側
１３８  外側
１４  回転軸
１４１  円柱
１４２  平面
１４３  摺動溝
１５  収容部
１６  操作キー
１６０  キー支持面
１６１  電気回路板
１６２  延伸部
１７  開口部
１８  案内孔
１９  予力部材
１９１、１９２  横直空間
２０  階段式導光素子
２０ａ、２０ｂ  部品
２０１  入光側
２０２  狭小区間
２０３  消失空間
２０４  出光側
２０８  柱
２０９  孔
５、５１、５２  光信号発射器
５６  選択スイッチ
５６１  状況スイッチ
６  締結具
６５  圧縮バネ
８  連動スイッチ
８１  移動片
８２  固定接点
８６  スイッチ
９  レーザー発射器
ａ  光軸
ｄ、ｄ１、ｄ２  寸法
Ｆ  標示位置
Ｌ  レーザー光
ｎ  狭角
ｗ  広角
Ｐ１、Ｐ２  回路
Ｓ  リモコン電気信号
【図１】
2007295387.tif 000003
【図２】
2007295387.tif 000004
【図３】
2007295387.tif 000005
【図４】
2007295387.tif 000006
【図５】
2007295387.tif 000007
【図６】
2007295387.tif 000008
【図７】
2007295387.tif 000009
【図８】
2007295387.tif 000010
【図９】
2007295387.tif 000011
【図１０】
2007295387.tif 000012
【図１１】
2007295387.tif 000013
【図１２】
2007295387.tif 000014
【図１３】
2007295387.tif 000015
【図１４】
2007295387.tif 000016
【図１５】
2007295387.tif 000017
【図１６】
2007295387.tif 000018
【図１７】
2007295387.tif 000019
【図１８】
2007295387.tif 000020
【図１９】
2007295387.tif 000021
【図２０】
2007295387.tif 000022
【図２１】
2007295387.tif 000023
【図２２】
2007295387.tif 000024
【図２３】
2007295387.tif 000025
【図２４】
2007295387.tif 000026